(57)【要約】【課題】いたずらに設備費を必要としない上に、その利用に際していたずらに経費がかからないようにする。【解決手段】プールＰ外に配在されたエア給排源Ａからのエアの供給を受けて浮力を大きくすると共にエアの排出で浮力を小さくする昇降床１とプールＰの底床Ｐ１との間に、下端がプールＰの底床Ｐ１に枢着されると共に上端が昇降床１に枢着されながら折れ曲り可能に形成された支持脚２と、この支持脚２の折れ曲り中心に連結されてその作動時にこの支持脚２の折れ曲り開始を可能にするエアシリンダ３とを有してなる。【選択図】　　　　図１
2004092090.tif 000002
【特許請求の範囲】
【請求項１】
プール外に配在されたエア給排源からのエアの供給を受けて浮力を大きくすると共にこの供給されたエアの排出で浮力を小さくする昇降床を有してなるプールにおける昇降床構造において、下端がプールの底床に枢着されると共に上端が昇降床に枢着されながら折れ曲り可能に形成された支持脚と、この支持脚の折れ曲り中心に連結されてその作動時にこの支持脚の折れ曲り開始を可能にするエアシリンダとを有してなることを特徴とするプールにおける昇降床構造
【請求項２】
昇降床が一定量のエアを固定的に有する固定タンク部と、この固定タンク部に連設されてエア給排源からのエアの供給およびこの供給されたエアの排出を可能にする可変タンク部とからなる請求項１に記載のプールにおける昇降床構造
【請求項３】
エアシリンダがプール外に配在されたエア給排源からのエアの供給を受けて作動するときに支持脚の折れ曲り開始を可能にしてなる請求項１に記載のプールにおける昇降床構造
【請求項４】
下端がプールの底床に枢着されると共に上端が昇降床に枢着されながら昇降床の昇降時に支持脚に同期して折れ曲りおよび引き展ばされる一方で外力の作用時に引き展ばしを許容しながら折れ曲りを阻止するロック脚を有してなる請求項１に記載のプールにおける昇降床構造
【請求項５】
ロック脚が外力の供給時に作動してこのロック脚の引き展ばしを許容する一方でこのロック脚の折れ曲りを阻止するラチェット機構を有してなる請求項４に記載のプールにおける昇降床構造
【請求項６】
ラチェット機構に供給される外力がプール外に配在されたエア給排源からのエアからなる請求項５に記載のプールにおける昇降床構造
【発明の詳細な説明】
【０００１】
【発明の属する技術分野】
この発明は、プール内の床を昇降床にするプールにおける昇降床構造の改良に関する。
【０００２】
【従来技術とその問題点】
近年のプールは、プール内の床を昇降床にして多目的プールとして設営されることが多く、たとえば、昇降床の高さを調整して大人用あるいは子供用のプールに使い分けしたり、もしくは、昇降床をいわゆる地上レベルまで上昇させて地表面の一部とし、たとえば、アイススケート用のリンクを設営することを可能にしたりしている。
【０００３】
そして、このプール内の床を昇降可能にするプールにおける昇降床構造については、これまでに種々の提案があるが、その多くが設備費を大きくするか、あるいは、利用する上での経費を大きくするかの不具合があるとされている。
【０００４】
この発明は、このような現状を鑑みて創案されたものであって、その目的とするところは、いたずらに設備費を必要としない上に、その利用に際していたずらに経費がかからず、その汎用性の向上を期待するのに最適となるプールにおける昇降床構造を提供することである。
【０００５】
【課題を解決するための手段】
上記した目的を達成するために、この発明によるプールにおける昇降床構造の構成を、基本的には、プール外に配在されたエア給排源からのエアの供給を受けて浮力を大きくすると共にこの供給されたエアの排出で浮力を小さくする昇降床を有してなるプールにおける昇降床構造において、下端がプールの底床に枢着されると共に上端が昇降床に枢着されながら折れ曲り可能に形成された支持脚と、この支持脚の折れ曲り中心に連結されてその作動時にこの支持脚の折れ曲り開始を可能にするエアシリンダとを有してなるとする。
【０００６】
それゆえ、支持脚を折り曲げ状態にすることで、昇降床を下降させることが可能になると共に、支持脚を引き展ばし状態にすることで、昇降床を上昇させることが可能になり、さらには、エアシリンダの作動で引き展ばし状態にある支持脚の折れ曲り開始が可能になる。
【０００７】
そして、上記した構成において、より具体的には、昇降床が一定量のエアを固定的に有する固定タンク部と、この固定タンク部に連設されてエア給排源からのエアの供給およびこの供給されたエアの排出を可能にする可変タンク部とからなるとする。
【０００８】
それゆえ、昇降床が固定タンク部に起因する固有の浮力を有することになり、可変タンク部に対するエアの給排で、すなわち、可変タンク部に対するエアの給排で足りると共に、この可変タンク部に起因する浮力の調整で昇降床における浮力の大小を選択できる。
【０００９】
また、エアシリンダがプール外に配在されたエア給排源からのエアの供給を受けて作動するときに支持脚の折れ曲り開始を可能にしてなるとする。
【００１０】
それゆえ、エアシリンダとされるから、仮にいわゆる漏れあっても、プールをいたずらに汚染させる危惧がなく、また、資源としてのエア不足を危惧しなくて済む。
【００１１】
さらに、下端がプールの底床に枢着されると共に上端が昇降床に枢着されながら昇降床の昇降時に支持脚に同期して折れ曲りおよび引き展ばされる一方で外力の作用時に引き展ばしを許容しながら折れ曲りが阻止されるロック脚を有してなるとする。
【００１２】
それゆえ、ロック脚に外力が作用している状況下で支持脚が引き展ばされるとき、支持脚の引き展ばしが円滑に実現されると共に、昇降床に対するエアの供給が中断されて支持脚の引き展ばし停止されてもロック脚によって支持脚の折れ曲りが阻止される。
【００１３】
このとき、ロック脚は、外力の供給時に作動してこのロック脚の引き展ばしを許容する一方でこのロック脚の折れ曲りを阻止するラチェット機構を有してなるとするのが好ましい。
【００１４】
そしてまた、ラチェット機構に供給される外力がプール外に配在されたエア供給源からのエアからなるとする場合には、外力源として昇降床に対してエアを給排するエア給排源を共用できる。
【００１５】
【発明の実施の形態】
以下に、図示した実施形態に基づいて、この発明を説明するが、この発明によるプールにおける昇降床構造は、図１に示すように、プールＰ外に配在されたエア給排源Ａからのエアの供給を受けて浮力を大きくすると共にこの供給されたエアの排出で浮力を小さくする昇降床１を有してなる。
【００１６】
このとき、昇降床１は、図示するところでは、一定量のエアを固定的に有する固定タンク部１１と、この固定タンク部１１に連設されてエア給排源Ａからのエアの供給およびこの供給されたエアの排出を可能にする可変タンク部１２とからなるとしている。
【００１７】
それゆえ、この昇降床１を有するプールにおける昇降床構造にあっては、プールＰ内に水を供給する一方で、昇降床１における可変タンク部１２内にエアを供給して昇降床１における浮力を大きくすることで、プールＰ内に供給される水量に応じて昇降床１を所望の高さ位置に上昇し得ることになる。
【００１８】
また、このプールにおける昇降床構造にあっては、昇降床１における可変タンク部１２内に供給されたエアを排出して昇降床１における浮力を小さくすることで、昇降床１をプールＰ内の水中において所望の高さ位置まで下降し得ることになる。
【００１９】
このとき、この昇降床１は、下方の水が上方に簡単に廻り込めるように、周辺部に昇降床１の上方と下方との連通を可能にするバイパス路１ａを有してなるとしている。
【００２０】
そして、このプールにおける昇降床構造にあっては、後述する支持脚２を機能させない限りにおいて、プールＰ内の水を抜くことで、昇降床１を下降させることも可能になる。
【００２１】
ちなみに、エア給排源Ａからのエアを可変タンク部１２内に供給するについては、図示するところでは、エア給排源Ａから延設されてプールＰの底床Ｐ１下方に延在され、この底床ＰＩからプールＰ内の水中に臨在されるホースＡ１を利用するとしている。
【００２２】
そして、このホースＡ１を介して可変タンク部１２内に供給されたエアは、同じくこのホースＡ１を介して外部に、すなわち、図示するところでは、エア給排源Ａに近隣配置された排出バルブＡ２を介して大気中に放出されるとしている。
【００２３】
なお、上記の昇降床１は、最終的には、段差部を生じさせないためにいわゆる一枚物に形成されるであろうが、それまでのいわゆる組立段階では、分割態様になる多数の固定タンク部１１と多数の可変タンク部１２とを連結して一枚物にする作業行程が採られるであろう。
【００２４】
また、図示しないが、固定タンク部１１が一定量のエアを固定的に有する態様については、任意の構成を採用できるが、好ましくは、不測の事態にも、すなわち、たとえば、この固定タンク部１１においていわゆるエア漏れがあっても、所定の浮力を確保できる構成が採用されるのが好ましい。
【００２５】
以上からすれば、このプールにおける昇降床構造にあっては、昇降床１が固定タンク部１１と可変タンク部１２とを有してなるから、可変タンク部１２に対するエアの給排で昇降床１における浮力の大小を選択できることになり、可変タンク部１２だけでなく固定タンク部１１を含めてエアの給排を実行する場合に比較して、いわゆる経費のいたずらな浪費を阻止できることになる。
【００２６】
ところで、このプールにおける昇降床構造にあっては、上記の昇降床１は、折れ曲り可能に形成された支持脚２で支持されるとしており、このとき、支持脚２は、下端がプールＰの底床Ｐ１に枢着され、上端が昇降床１に枢着されるとしている。
【００２７】
また、この支持脚２は、図１に示すところと同様の図２に示す支持状態と、図３に示す最引き展ばし状態と、図４に示す折れ曲り状態と、図示しないが、完全な折れ曲り状態とを呈するとしている。
【００２８】
このとき、この支持脚２は、図示する正面形状をほぼ二等辺三角形状にする上下で一対となる脚片２１を有していて、この上下の脚片２１がピン２２で折れ曲り可能に枢着されてなるとしている。
【００２９】
また、このとき、図２に示すところに基づいて説明すると、ピン２２は、脚片２１の尖端を昇降床１およびプールＰの底床Ｐ１に枢着する位置から偏芯する位置で枢着するとしている。
【００３０】
その結果、この図２に示す支持状態にある支持脚２を折り曲げるときには、図３に示すように、上記の昇降床１およびプールＰの底床Ｐ１に枢着する位置を結ぶ一点鎖線上に上記のピン２２が位置決めることを要することになる。
【００３１】
すなわち、この支持脚２にあっては、上記の一点鎖線で表示されるデッドポイントを越えるときに、一方向でこの支持脚２による支持状態（図２参照）を保障し得ることになり、他方向でこの支持脚２における折り曲げ状態（図４参照）を可能にし得ることになる。
【００３２】
以上からすれば、このプールにおける昇降床構造にあっては、支持脚２が図２に示す支持状態にある場合には、プールＰ内の水が抜かれたり、あるいは、なんらかの原因で昇降床１の浮力が小さくなっても、昇降床１がその高さに維持されることになる。
【００３３】
その一方で、支持脚２が図２に示す支持状態にあるところから、プールＰ内に水がいわゆるオーバーフローする傾向に十分供給されると共に昇降床１における浮力が大きくなると、昇降床１が図３に示すように最上昇する。
【００３４】
このとき、支持脚２は、デッドポイントを越え得る状態、すなわち、最引き展ばし状態になり、言わばフリー状態になるから、この状態から、後述するエアシリンダ３を作動することで支持脚２の折れ曲りを可能にし得ることになる。
【００３５】
なお、上記の支持脚２は、エアシリンダ３を挟んで前後にそれぞれ複数配置され、かつ、それぞれが連結ロッド２３で連結されて同期した動きを呈するように配慮されている。
【００３６】
ところで、エアシリンダ３は、図示するところでは、前記したプールＰ外に配在のエア給排源Ａからのエアの供給を受けて作動するときに支持脚２の折れ曲り開始を可能にするとしている。
【００３７】
このとき、このエアシリンダ３は、図示するところでは、エアの供給を受けるとシリンダ体３１内にロッド体３２を引き込むように収縮作動するとしており、このとき、図示しないが、シリンダ体３１内にピストンであらかじめ画成されている言わば圧力室が収縮されて畜圧されるとしている。
【００３８】
それゆえ、このエアシリンダ３にあっては、エア給排源Ａからのエアが供給されないときには、上記の圧力室が畜圧で膨張してロッド体３２をシリンダ体３１内から突出させる、すなわち、伸長作動することになる。
【００３９】
したがって、このエアシリンダ３は、外力の作用がない限り、常時伸長するように附勢されていることになり、その結果、支持脚２を図３に示す最引き展ばし状態を越えて図２に示す支持状態に常時維持し得ることになる。
【００４０】
以上からすれば、このプールにおける昇降床構造にあっては、エアシリンダ３を有することで、支持脚２を常時引き展ばし傾向に維持し得ることになり、その限りにおいて、エアシリンダ３の他に特別の動力や機械力を要することなく、昇降床１を上昇させておくことが可能になり、設備を形成する上で、また、設備を利用する上で有利となる。
【００４１】
また、エアシリンダ３であるがゆえに、仮にいわゆる漏れあっても、プールＰをいたずらに汚染させる危惧がなく、また、資源としてのエア不足を危惧しなくて済む点で有利となる。
【００４２】
なお、このエアシリンダ３を伸長させるべく、エア給排源Ａから供給されたエアを排出する際には、前記した昇降床１からエアを排出する場合と同様に、エア給排源Ａに近隣配置された排出バルブＡ２を介して大気中に放出されるとしている。
【００４３】
それゆえ、このプールにおける昇降床構造にあって、昇降床１をプールＰ内で上昇させるについては、まず、昇降床１に所定の大きさの浮力を具有させるべくエア給排源Ａを駆動する。
【００４４】
このとき、エアシリンダ３は、伸長傾向に附勢されているから、このエアシリンダ３が支持脚２を引き展ばすように機能することになり、その結果、昇降床１は、浮力を大きくする以外にこのエアシリンダ３の伸長作動でその上昇が助けられることになる。
【００４５】
それゆえ、昇降床１の浮力をいたずらに大きくする、すなわち、エア給排源Ａを過度に駆動する必要がないばかりでなく、設備を利用する上での経費を少なくし得る点で有利となる。
【００４６】
つぎに、昇降床１をいわゆる上昇した状態に維持するには、昇降床１が図３に示す最上昇した状態になったときに、昇降床１に対するエアの供給による浮力の上昇を停止すると共に、この状態から、逆に昇降床１からエアを排出して浮力を下げ、昇降床１をプールＰ内で下降させる。
【００４７】
このとき、エアシリンダ３の作用があるから、支持脚２がいわゆるデッドポイントを越えて図２に示す引き展ばし状態になり、この時点で支持脚２の折れ曲りが阻止されるから、昇降床１が所定の上昇状態に維持される。
【００４８】
一方、図２に示す上昇状態にある昇降床１を下降させるには、上記したところと逆の行程をとるのが基本となるが、支持脚２が図３に示す最引き展ばし状態になったときには、エアシリンダ３を収縮作動させることが肝要になる。
【００４９】
そして、この図３に示す最引き展ばし状態からエアシリンダ３が収縮作動すると、図４に示すように支持脚２が折れ曲ることになり、このとき、昇降床１の浮力が小さくなれば、この昇降床１がプールＰ内で下降する。
【００５０】
ちなみに、このときに、プールＰ内の水が抜かれる場合には、昇降床１は、一層速やかにプールＰ内を下降する。
【００５１】
以上からすれば、このプールにおける昇降床構造にあっては、昇降床１に対するエアの給排およびエアシリンダ３の伸縮制御で昇降床１をプールＰ内で昇降させ得ることになる。
【００５２】
しかしながら、いわゆる作動保障の観点からすれば、図示するところでは、エアたる流体を制御アイテムにすることから、支持脚２の折れ曲り状態をいわゆる中間位置で固定的に維持するのが容易でない。
【００５３】
そこで、この発明では、支持脚２を中間の折れ曲り状態に維持することを可能にするロック脚４を有するとしている。
【００５４】
すなわち、このロック脚４は、図示するところでは、下端がプールＰの底床Ｐ１に枢着されると共に上端が昇降床１に枢着されながら昇降床１の昇降時に支持脚２に同期して折れ曲りおよび引き展ばされる一方で、外力の作用時に引き展ばしを許容しながら折れ曲りを阻止するとしている。
【００５５】
この時、このロック脚４は、図５に示すように、上下で一対となる脚片４１を有してなり、図６に示すように、その折れ曲り点たる枢着点部分にラチェット機構４２を有してなるとしている。
【００５６】
ちなみに、このラチェット機構４２が外力の供給時に作動してこのロック脚４の引き展ばしを許容する一方で、このロック脚４の折れ曲りを阻止するとしている。
【００５７】
そして、このロック脚４にあって、上記のラチェット機構４２に作用する外力としては、図示するところでは、前記したエア給排源Ａから供給されるエアとしており、したがって、この実施形態では、エア給排源Ａを共用できる点で有利となる。
【００５８】
それゆえ、このロック脚４にあっては、ラチェット機構４２に外力が作用している状況下で支持脚２が引き展ばされるとき、支持脚２の引き展ばしが円滑に実現されると共に、エアの供給が中断されるなどで、昇降床１の上昇が停止されるとき、このロック脚４によって支持脚２の折れ曲りが阻止されることになる。
【００５９】
なお、昇降床１をプールＰ内で下降させる際には、このロック脚４におけるラチェット機構４２へ外力の供給を解除することはもちろんである。
【００６０】
その結果、このロック脚４を有するプールにおける昇降床構造にあっては、特に、支持脚２の引き展ばし状態を途中で中断するような場合にも、その上昇状態を維持できることになり、昇降床１がプールＰ内で突然落下するような不具合の招来をあらかじめ排除できる点で有利となる。
【００６１】
【発明の効果】
以上のように、請求項１の発明にあっては、支持脚を折り曲げ状態にすることで、昇降床を下降させることが可能になると共に、支持脚を引き展ばし状態にすることで、昇降床を上昇させることが可能になり、さらには、エアシリンダの作動で引き展ばし状態にある支持脚の折れ曲り開始が可能になる。
【００６２】
そして、請求項２の発明にあっては、昇降床が固定タンク部に起因する固有の浮力を有するから、可変タンク部に対するエアの給排で、すなわち、固定タンク部にも供給することに比較して、言わば可変タンク部にのみエアを供給すれば良く、また、この可変タンク部に対するエアの供給に起因する浮力の調整で昇降床における浮力の大小を選択できる。
【００６３】
また、請求項３の発明にあっては、支持脚の折り曲げ開始をエアシリンダの作動で実現できるから、仮にいわゆる漏れあっても、プールをいたずらに汚染させる危惧がなく、また、資源としてのエア不足を危惧しなくて済む。
【００６４】
さらに、このエアシリンダが伸長方向の畜圧を有する場合には、支持脚を常時引き延ばす方向に附勢することになり、昇降床を上昇させるためのエア力を極端に大きくしなくて済むと共に、エアシリンダの他に特別の動力や機械力を要することなく、昇降床を上昇させておくことが可能になり、設備を形成する上で、また、設備を利用する上で有利となる。
【００６５】
さらに、請求項４の発明にあっては、ロック脚に外力が作用している状況下で支持脚が引き展ばされるとき、支持脚の引き展ばしが円滑に実現されると共に、エアの供給が中断されてもロック脚によって支持脚の折れ曲りが阻止される。
【００６６】
そしてさらに、請求項５の発明にあっては、ラチェット機構が外力の作用時にロック脚の折れ曲りを阻止しながらロック脚の引き展ばしを許容するから、支持脚の引き展ばし状態を途中で中断するような場合にも、昇降床の上昇状態を維持できることになり、昇降床がプール内で突然落下するような不具合の招来をあらかじめ排除できる点で有利となる。
【００６７】
そして、請求項６の発明にあっては、ラチェット機構に供給される外力がプール外に配在されたエア供給源からのエアからなるとすることで、外力源として昇降床に対してエアを給排するエア供給源を共用できる利点がある。
【００６８】
その結果、この発明によれば、いたずらに設備費を必要としない上に、その利用に際していたずらに経費がかからず、その汎用性の向上を期待するのに最適となる。
【図面の簡単な説明】
【図１】この発明によるプールにおける昇降床構造を具現化したプールを一部破断して示す部分縦断面図である。
【図２】この発明によるプールにおける昇降床構造の要部を拡大して示す部分縦断面図である。
【図３】支持脚の最引き展ばし状態を示す部分図である。
【図４】支持脚の折れ曲り状態を示す部分図である。
【図５】ロック脚を示す部分図である。
【図６】ロック脚の中央枢着部を示す部分図である。
【符号の説明】
１　昇降床
２　支持脚
３　エアシリンダ
４　ロック脚
１１　固定タンク部
１２　可変タンク部
２１，４１　脚片
２３　連結ロッド
３１　シリンダ体
３２　ロッド体
４２　ラチェット機構
Ａ　エア給排源
Ａ１　ホース
Ａ２　排出バルブ
Ｐ　プール
Ｐ１　底床
【図１】
2004092090.tif 000003
【図２】
2004092090.tif 000004
【図３】
2004092090.tif 000005
【図４】
2004092090.tif 000006
【図５】
2004092090.tif 000007
【図６】
2004092090.tif 000008